【手続補正書】
【提出日】平成16年10月28日(2004.10.28)
【手続補正１】
【補正対象書類名】明細書
【補正対象項目名】００６９
【補正方法】変更
【補正の内容】
【００６９】
シフトレジスタ〜バッファまでの動作は、実施例１での書込用ゲート信号線駆動回路と同様であり、クロック信号、クロック反転信号、スタートパルスに従って、順次パルスが出力される。ここで、選択回路１１０４は、シフトレジスタ１１１０からの出力１段ごとに配置され、１つの選択回路１１０４には、ＲＧＢに対応した３本の書込用ゲート信号線が接続されている。選択回路１１０４は、アドレス(書込)期間を前期、中期、後期に分割し、そのそれぞれで異なる書込用ゲート信号線を選択して、シフトレジスタからのパルスを出力する。例えば、前期ではＲに該当する書込用ゲート信号線を選択し、Ｇ1Ｒ、Ｇ2Ｒ、Ｇ3Ｒ、・・・、ＧnＲを順次選択して、映像信号の書き込みを行う。中期ではＧに該当する書込用ゲート信号線を選択し、Ｇ1Ｇ、Ｇ2Ｇ、Ｇ3Ｇ、・・・、ＧnＧを順次選択して、映像信号の書き込みを行う。後期ではＢに該当する書込用ゲート信号線を選択し、Ｇ1Ｂ、Ｇ2Ｂ、Ｇ3Ｂ、・・・、ＧnＢを順次選択して、映像信号の書き込みを行う。この様子を、図１２(Ａ)に示した。スタートパルスは、１つのアドレス(書込)期間に３度入力される。
【手続補正２】
【補正対象書類名】明細書
【補正対象項目名】００７８
【補正方法】変更
【補正の内容】
【００７８】
また、保持容量に関しては、本実施例では特に設けていない。サステイン期間中、駆動用ＴＦＴ３０７のゲート・ソース間電圧の保持は、駆動用ＴＦＴ３０７自身のチャネル容量およびゲート容量によって賄う。
【手続補正３】
【補正対象書類名】図面
【補正対象項目名】図６
【補正方法】変更
【補正の内容】
【図６】
2003271100.tif 000001
【手続補正４】
【補正対象書類名】明細書
【補正対象項目名】特許請求の範囲
【補正方法】変更
【補正の内容】
【特許請求の範囲】
【請求項１】
第１乃至第３の発光色のいずれかを呈するＭ×３Ｎ個の発光素子を有する、Ｎ行Ｍ列のマトリクス状に配置された複数の画素と、Ｍ本の信号線と、３Ｎ本の第１の走査線と、３Ｎ本の第２の走査線とを有する発光装置であって、
前記第１乃至第３の発光素子はそれぞれ同一列に設けられ、かつ前記第１乃至第３の発光素子はそれぞれ、前記第１の走査線または前記第２の走査線に対して平行に設けられ、
前記第１および第２の発光色を呈する発光素子の発光時間を、前記第３の発光色を呈する発光素子の発光時間よりも短く制御する機能を有することを特徴とする発光装置。
【請求項２】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有する発光装置であって、
前記第１乃至第３の発光素子はそれぞれ同一列に設けられ、かつ前記第１乃至第３の発光素子はそれぞれ、前記第１の走査線または前記第２の走査線に対して平行に設けられ、
前記第１および第２の発光色を呈する発光素子の発光時間を、前記第３の発光色を呈する発光素子の発光時間よりも短く制御する機能を有する
ことを特徴とする発光装置。
【請求項３】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有する発光装置であって、
前記第１乃至第３の発光素子はそれぞれ、前記信号線と、前記第１の走査線と、前記第２の走査線と、第１乃至第３のトランジスタとを有し、
前記第１のトランジスタのゲート電極は、前記第１の走査線と電気的に接続され、
前記第２のトランジスタのゲート電極は、前記第２の走査線と電気的に接続され、
前記第３のトランジスタのゲート電極は、前記第１のトランジスタのソース領域とドレイン領域とのいずれか一方と電気的に接続され、
前記第３のトランジスタのソース領域とドレイン領域とのいずれか一方と、前記発光素子とは電気的に接続され、
前記第１乃至第３の発光素子はそれぞれ同一列に設けられ、かつ前記第１乃至第３の発光素子はそれぞれ、前記第１の走査線または前記第２の走査線に対して平行に設けられ、
前記第１および第２の発光色を呈する発光素子の発光時間を、前記第３の発光色を呈する発光素子の発光時間よりも短く制御する機能を有する
ことを特徴とする発光装置。
【請求項４】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線と、電流供給線とを有する発光装置であって、
前記第１乃至第３の発光素子はそれぞれ、前記信号線と、前記第１の走査線と、前記第２の走査線と、第１乃至第３のトランジスタとを有し、
前記第１のトランジスタのゲート電極は、前記第１の走査線と電気的に接続され、
前記第２のトランジスタのゲート電極は、前記第２の走査線と電気的に接続され、
前記第３のトランジスタのゲート電極は、前記第１のトランジスタのソース領域とドレイン領域とのいずれか一方と電気的に接続され、
前記第３のトランジスタのソース領域とドレイン領域との一方は、前記電流供給線と電気的に接続され、他方は前記発光素子と電気的に接続され、
前記第１乃至第３の発光素子はそれぞれ同一列に設けられ、かつ前記第１乃至第３の発光素子はそれぞれ、前記第１の走査線または前記第２の走査線に対して平行に設けられ、
前記第１乃至第３の発光素子への電流の供給は、前記電流供給線より行われ、
前記第１および第２の発光色を呈する発光素子の発光時間を、前記第３の発光色を呈する発光素子の発光時間よりも短く制御する機能を有することを特徴とする発光装置。
【請求項５】
請求項１乃至４のいずれか一において、
隣接する前記第１乃至前記第３の発光素子はそれぞれ、前記電流供給線を共有することを特徴とする発光装置。
【請求項６】
請求項１乃至請求項５のいずれか一において、
前記第１乃至前記第３の発光色はそれぞれ、単色発光を、カラーフィルタまたは色変換層を透過することによって得られることを特徴とする発光装置。
【請求項７】
請求項１乃至請求項６のいずれか一において、
前記第１乃至前記第３の発光色はそれぞれ、前記第１乃至前記第３の発光色を呈する発光材料によって得られることを特徴とする発光装置。
【請求項８】
赤色(Ｒ)を呈する第１の発光素子と、緑色(Ｇ)を呈する第２の発光素子と、青色(Ｂ)を呈する第３の発光素子とを有する画素がマトリクス状に配置された画素部と、複数の信号線と、複数の第１の走査線と、複数の第２の走査線と、電流供給線とを有する発光装置であって、
前記第１乃至第３の発光素子はそれぞれ、前記信号線と、前記第１の走査線と、前記第２の走査線と、第１乃至第３のトランジスタとを有し、
前記第１のトランジスタのゲート電極は、前記第１の走査線と電気的に接続され、
前記第２のトランジスタのゲート電極は、前記第２の走査線と電気的に接続され、
前記第３のトランジスタのゲート電極は、前記第１のトランジスタのソース領域とドレイン領域とのいずれか一方と電気的に接続され、
前記第３のトランジスタのソース領域とドレイン領域との一方は、前記電流供給線と電気的に接続され、他方は前記発光素子と電気的に接続され、
前記第１乃至第３の発光素子はそれぞれ同一列に設けられ、かつ前記第１乃至第３の発光素子はそれぞれ、前記第１の走査線または前記第２の走査線に対して平行に設けられ、
前記第１乃至第３の発光素子への電流の供給は、前記電流供給線より行われ、
前記赤色(Ｒ)および前記緑色(Ｇ)の発光色を呈する発光素子の発光時間を、前記青色(Ｂ)の発光色を呈する発光素子の発光時間よりも短く制御する機能を有することを特徴とする発光装置。
【請求項９】
請求項８において、
前記赤色(Ｒ)、前記緑色(Ｒ)、前記青色(Ｂ)はそれぞれ、単色発光を、カラーフィルタまたは色変換層を透過することによって得られることを特徴とする発光装置。
【請求項１０】
請求項８において、
前記赤色(Ｒ)、前記緑色(Ｇ)、前記青色(Ｂ)はそれぞれ、前記赤色(Ｒ)、緑色(Ｇ)、青色(Ｂ)の発光を呈する発光材料によって得られることを特徴とする発光装置。
【請求項１１】
請求項１乃至請求項１０のいずれか一に記載の発光装置を用いたことを特徴とする電子機器。
【請求項１２】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有し、
前記第１乃至第３の発光素子はそれぞれ同一列に設けられ、かつ前記第１乃至第３の発光素子はそれぞれ、前記第１の走査線または前記第２の走査線に対して平行に設けられた発光装置の駆動方法であって、
前記信号線より前記第１乃至第３の発光素子に入力される映像信号の同期タイミングに対応するフレーム期間を有し、
前記フレーム期間において、前記第１および第２の発光色を呈する発光素子の発光時間を、前記第３の発光色を呈する発光素子の発光時間よりも短く制御することを特徴とする発光装置の駆動方法。
【請求項１３】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有し、
前記第１乃至第３の発光素子はそれぞれ同一列に設けられ、かつ前記第１乃至第３の発光素子はそれぞれ、前記第１の走査線または前記第２の走査線に対して平行に設けられた発光装置の駆動方法であって、
前記信号線より前記第１乃至第３の発光素子に入力される映像信号の同期タイミングに対応するフレーム期間に、前記フレーム期間を複数に分割した、複数のサブフレーム期間を有し、
前記複数のサブフレーム期間は、
前記第１乃至第３の発光素子に映像信号を書き込む期間と、
前記映像信号に応じ、前記第１乃至第３の発光素子が発光する期間と、
前記第１乃至第３の発光素子のそれぞれの発光を強制的に消去する期間とを有し、
前記第１および第２の発光色を呈する発光素子の発光時間を、前記第３の発光色を呈する発光素子の発光時間よりも短く制御することを特徴とする発光装置の駆動方法。
【請求項１４】
請求項１３において、
前記サブフレーム期間のうち最上位ビットに該当するサブフレーム期間を分割し、前記分割されたサブフレーム期間は連続しないように出現することを特徴とする発光装置の駆動方法。
【請求項１５】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有し、
前記第１乃至第３の発光素子はそれぞれ同一列に設けられ、かつ前記第１乃至第３の発光素子はそれぞれ、前記第１の走査線または前記第２の走査線に対して平行に設けられた発光装置の駆動方法であって、
前記第１の走査線のうち、選択された状態にあるいずれか１行において、映像信号を前記第１乃至第３の発光素子に書き込み、
前記映像信号に応じ、前記第１乃至第３の発光素子が発光し、
発光状態にある前記第１乃至第３の発光素子を、前記第２の走査線に接続された前記第１乃至第３の画素を同時に消去することにより、前記第１および第２の発光色を呈する発光素子の発光時間を、前記第３の発光色を呈する発光素子の発光時間よりも短く制御することを特徴とする発光装置の駆動方法。
【請求項１６】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有し、
前記第１乃至第３の発光素子はそれぞれ同一列に設けられ、かつ前記第１乃至第３の発光素子はそれぞれ、前記第１の走査線または前記第２の走査線に対して平行に設けられた発光装置の駆動方法であって、
前記第１の発光素子に映像信号の書き込みを行う第１のステップと、
前記第２の発光素子に映像信号の書き込みを行う第２のステップと、
前記第３の発光素子に映像信号の書き込みを行う第３のステップと、
前記第１の発光素子を強制的に消去する第４のステップと、
前記第２の発光素子を強制的に消去する第５のステップと、
前記第３の発光素子を強制的に消去する第６のステップとを有し、
それぞれの前記映像信号の書き込みは、同一の前記第１の走査線に接続された前記第１乃至第３の発光素子においては同時に行われ、
それぞれの前記消去は、同一の前記第２の走査線に接続された前記第１乃至第３の発光素子においては同時に行われ、
前記第４乃至第６のステップを開始するタイミングをそれぞれ独立して制御することにより、前記第１および第２の発光色を呈する発光素子の発光時間を、前記第３の発光色を呈する発光素子の発光時間よりも短く制御することを特徴とする発光装置の駆動方法。
【請求項１７】
請求項１２乃至請求項１６のいずれか一において、
前記第１乃至前記第３の発光色はそれぞれ、単色発光を、第１乃至第３の着色層を透過することによって得られ、
前記１の着色層の光透過率がα、前記第２の着色層の光透過率がβ、前記第３の着色層の光透過率がγであるとき、
前記第１の発光色を呈する発光素子の発光時間と、前記第２の発光色を呈する発光素子の発光時間と、前記第３の発光色を呈する発光素子の発光時間との比は、γ／α：γ／β：１である
ことを特徴とする発光装置の駆動方法。
【請求項１８】
第１の発光色を呈する第１の発光素子と、第２の発光色を呈する第２の発光素子と、第３の発光色を呈する第３の発光素子とを有する画素がマトリクス状に配置された画素部と、複数の信号線と、複数の第１の走査線と、複数の第２の走査線とを有し、
前記第１乃至第３の発光素子はそれぞれ同一列に設けられ、かつ前記第１乃至第３の発光素子はそれぞれ、前記第１の走査線または前記第２の走査線に対して平行に設けられた発光装置の駆動方法であって、
前記信号線より前記第１乃至第３の発光素子に入力される映像信号の同期タイミングに対応するフレーム期間を有し、
前記フレーム期間は、前記信号線よりそれぞれ前記第１乃至第３の発光素子へ映像信号が入力される期間を有し、
前記フレーム期間において、前記第１および第２の発光色を呈する発光素子の発光時間を、前記第３の発光色を呈する発光素子の発光時間よりも短く制御することを特徴とする発光装置の駆動方法。
【請求項１９】
請求項１８において、
前記第１乃至前記第３の発光色はそれぞれ、単色発光を、第１乃至第３の着色層を透過することによって得られ、
前記１の着色層の光透過率がα、前記第２の着色層の光透過率がβ、前記第３の着色層の光透過率がγであるとき、
前記第１の発光色を呈する発光素子の発光時間と、前記第２の発光色を呈する発光素子の発光時間と、前記第３の発光色を呈する発光素子の発光時間との比は、γ／α：γ／β：１であって、
前記第２の発光素子に映像信号の書き込みを行う第２のステップと、
前記第１の発光素子に映像信号の書き込みを行う第１のステップと、
前記第３の発光素子に映像信号の書き込みを行う第３のステップとが順に出現する
ことを特徴とする発光装置の駆動方法。
【請求項２０】
請求項１２乃至請求項１９のいずれか一に記載の発光装置の駆動方法を用いたことを特徴とする電子機器。